【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】  音声期間と非音声期間とを有する音声通信において快適ノイズ（１５０）を発生する方法（２００）であって、当該音声通信を行なうために、音声入力を表わす信号（１１４、１２４）が送信側のフレームから受信側のフレームに供給され、当該音声入力が音声成分および非音声成分を有し、該非音声成分が定常または非定常に分類することができ、
前記方法が、 
定常である非音声成分を表わす第１の値と、非定常である非音声成分を表わす第２の値とを有するさらなる信号（１３０）を送信側から受信し（２０６）、
前記さらなる信号（１３０）が第１の値または第２の値のいずれを有するかに基づいて、送信側から受信されたさらなる信号に応答して、非音声期間中に快適ノイズ（１５０）を受信側で発生する（２０２、２３２）
ことを特徴とする方法。
【請求項２】  前記非音声成分が送信側の背景ノイズであることを特徴とする請求項１記載の方法。
【請求項３】  前記さらなる信号が第２の値を有する場合、快適ノイズにランダム成分が設けられることを特徴とする請求項１記載の方法。
【請求項４】  スペクトルパラメータベクトル（１１４）と、前記非音声成分のスペクトルから評価されたエネルギーレベル（１２４）とを含む前記信号が、前記快適ノイズ（１５０）が該スペクトルパラメータベクトル（１１４）およびエネルギーレベル（１２４）に基づいて生成されることを特徴とする請求項１記載の方法。
【請求項５】  前記さらなる信号（１３０）が第２の値を有する場合、前記快適ノイズ（１５０）が発生される前に、ランダムな値をスペクトルパラメータベクトル（１１４）に挿入する（３２）ことを特徴とする請求項４記載の方法。
【請求項６】  前記さらなる信号（１３０）が第２の値を有する場合、快適ノイズ（１５０）が発生される前に、前記スペクトルパラメータベクトル（１１４）の要素内にランダムな値の第１セットを挿入し（３２）、前記エネルギーレベル（１２４）に第２のランダムな値を挿入する（３８）ことを特徴とする請求項４記載の方法。
【請求項７】  非音声成分を表わす複数のスペクトルパラメータベクトル（１１４）を含む前記信号が、前記決定する工程（２０４）が前記スペクトルパラメータベクトル（１１４）間のスペクトル距離（Ｄs）に基づいて実行されることを特徴とする請求項１記載の方法。
【請求項８】  総和の値を与えるために平均期間にわたって前記スペクトル距離（Ｄs）の総和が求められ、当該総和が所定の値より小さい場合、前記非音声成分が定常と分類され、当該総和が所定の値より大きいか、または等しい場合、前記非音声成分が非定常と分類されることを特徴とする請求項７記載の方法。
【請求項９】  前記スペクトルパラメータベクトル（１１４）が線形スペクトル周波数（ＬＳＦ）ベクトルであることを特徴とする請求項７記載の方法。
【請求項１０】  前記スペクトルパラメータベクトル（１１４）が、イミタンススペクトル周波数（ＩＳＦ）ベクトルである請求項７記載の方法。
【請求項１１】  前記さらなる信号が第１の値を有する場合に、フレーム間のエネルギーレベルの変化を計算する工程をさらに含み、該エネルギーレベルの変化が所定の値を超えた場合、前記さらなる信号が第２の値をもつように変化し、前記快適ノイズ（１５０）が発生される前に前記スペクトルパラメータベクトル（１１４）にランダムな値のベクトルを挿入する（２３２）ことを特徴とする請求項４記載の方法。
【請求項１２】  前記さらなる信号（１３０）が第１の値を有する場合に、フレーム間のエネルギーレベルの変化を計算する工程を含み、当該エネルギーレベルの変化が所定の値を超えた場合、前記さらなる信号が第２の値を有するように変化し、前記快適ノイズ（１５０）が生成される前に、スペクトルパラメータベクトル（１１４）およびエネルギーレベル（１２４）にランダムな値のベクトルを挿入する（２３２）ことを特徴とする請求項４記載の方法。
【請求項１３】  前記さらなる信号（１３０）が、非音声成分が定常であるか、非定常であるかを表示するために、送信側から受信側に送られるフラグを含み、前記さらなる信号（１３０）が第１の値を有するときに当該フラグが設定され、前記さらなる信号（１３０）が第２の値を有するときには当該フラグが設定されないことを特徴とする請求項４記載の方法。
【請求項１４】  前記フラグが設定されない場合、快適ノイズ（１５０）が生成される前に、スペクトルパラメータベクトル（１１４）にランダムな値を挿入する（２３２）ことを特徴とする請求項１３記載の方法。
【請求項１５】  前記さらなる信号が第１の値を有する場合にフレーム間のエネルギーレベルの変化を計算し、
該エネルギーレベルの変化が所定の超えているか否かを決定し、
当該変化が所定の値を超えている場合、前記フラグの設定を取消す
ことを特徴とする請求項１３記載の方法。
【請求項１６】  前記フラグが設定されていないときに、快適ノイズが生成される前に、スペクトルパラメータベクトル（１１４）にランダムな値を挿入する（２３２）ことを特徴とする請求項１５記載の方法。
【請求項１７】  前記ランダムな値が−ＬとＬとの間の範囲にあり、Ｌが所定の値であることを特徴とする請求項５記載の方法。
【請求項１８】  前記所定の値が実質的に１００＋０．８Ｈｚに等しいことを特徴とする請求項１７記載の方法。
【請求項１９】  前記第２のランダムな値が−７５と７５との間の範囲にあることを特徴とする請求項６記載の方法。
【請求項２０】  前記ランダムな値が−ＬとＬとの間の範囲にあり、Ｌが高周波数を表わす要素と共に増加する値であることを特徴とする請求項５記載の方法。
【請求項２１】  前記さらなる信号が２進数のフラグであり、前記第１の値が１であり、前記第２の値が０であることを特徴とする請求項１記載の方法。
【請求項２２】  前記さらなる信号が２進数のフラグであり、前記第１の値が０であり、前記第２の値が１であることを特徴とする請求項１記載の方法。
【請求項２３】  音声入力（１００）を表わす音声に関するパラメータ（１１４、１２４）を供給するための送信側と、該音声に関するパラメータ（１１４、１２４）に基づいて音声入力を再構成するための受信側とを有する通信ネットワークによる音声通信中に快適ノイズ（１５０）を発生するためのシステム（１０、１２）であって、
該音声通信が音声期間と非音声期間とを有し、該音声入力が音声成分と非音声成分とを有し、該非音声成分が定常と非定常に分類され、当該快適ノイズ（１５０）が非音声期間中に与えられ、
前記システムが、
前記送信側に設けられ、定常である非音声成分を表わす第１の値または
非定常である非音声成分を表わす第２の値を有する信号（１３０）を供給するために、前記非音声成分が定常であるか、または非定常であるかを決定するための手段（２８）と、
前記受信側に設けられ、前記信号（１３０）に応答して、前記信号が第２の値を有する場合にのみ快適ノイズ（１５０）にランダムな成分を挿入するための手段
とを備えてなることを特徴とするシステム。
【請求項２４】  音声入力（１００）を表わす音声パラメータ（１１４、１２４）を供給するためのエンコーダ（１０）と、供給された音声パラメータ（１１４、１２４）に応答して、該音声パラメータに基づいて音声入力を再構成するためのデコーダ（１２）とを有する音声通信に用いるための音声コーダであって、
前記エンコーダ（１０）が、音声入力（１００）に応答して、該音声入力の非音声成分を表わすスペクトルパラメータベクトル（１１４）とエネルギーパラメータ（１２４）とを発生するためのスペクトル分析モジュール（２０、２４）を備え、
前記デコーダ（１２）が、前記スペクトルパラメータベクトルおよびエネルギーパラメータに基づいて非音声成分を置き換えるために非音声期間に快適ノイズ（１５０）を発生するための手段（３０、３６）を備え、
前記エンコーダ（１０）に設けられ、スペクトルパラメータベクトル（１１４）とエネルギーパラメータ（１２４）に応答して前記非音声成分が定常であるか、または非定常であるかを決定し、定常である非音声成分を表わす第１の値と、非定常である非音声成分を表わす第２の値とを有する信号（１３０）を与えるためのノイズ検出器モジュール（２８）と、
前記信号（１３０）に応答して、前記非音声成分が非定常である場合にのみ快適ノイズを修正するために、スペクトルパラメータベクトル（１１４）およびエネルギーパラメータ（１２４）の要素にランダムな成分を挿入するためのディザリングモジュール（３２、２８）
とを備えてなる
ことを特徴とする音声コーダ。
【請求項２５】  音声期間と非音声期間とを有する音声通信に快適ノイズ（１５０）を発生するための方法であって、音声入力を表わす信号（１１４、１２４）が、音声通信を行なうために、送信側から受信側に供給され、前記音声入力が音声成分と非音声成分とを有し、該非音声成分が定常または非定常と分類され、前記快適ノイズが非音声期間に発生され、
前記方法が、
前記送信側において、非音声成分が定常であるか、または非定常であるかを決定する工程（２０４）と、
送信側において、前記決定の結果を表わすさらなる信号（１３０）を発生する工程（２０６）と、
送信側から受信されたさらなる信号（１３０）に応答して、前記非音声成分がさらなる信号（１３０）に基づく非定常である場合、前記受信側において快適ノイズを修正する工程（２３２）
とを含む
ことを特徴とする方法。
【請求項２６】  音声通信に音声信号（１００）を再構成するための音声デコーダ（１２）であって、該音声信号が音声期間と非音声期間とを有し、該音声通信を行なうために、音声入力を表わす情報（１１４、１２４）が送信側のフレームから受信側のフレームに供給され、当該音声入力が音声成分および非音声成分を有し、該非音声成分が定常または非定常に分類することができ、第１の値または第２の値を有するさらなる情報が、定常である非音声成分または非定常である非音声成分を表わすために、送信側から受信側に供給され、
前記デコーダが、
該情報に少なくとも部分的に基づき、該音声信号を再構成するための該情報（１１４、１２４）に応答する手段、および
該さらなる情報が第１または第２の値を有するかに基づき、非音声期間中に快適ノイズ（１５０）を受信側に供給するための該さらなる情報に応答する手段（３０、３６）
とを含む
ことを特徴とするデコーダ。